(57)【要約】  貨物アンカは上側表面を備えた支持部１０３を有する。拘束用ストラップを受容する開孔１１３を備えた舌部１０５は、舌部１０５が支持部１０３の上側表面と実質的に面一である第１位置から、開孔１１３が露出される様に舌部が支持部の上方に延在する第２位置まで、支持部１０３に対して回動可能である。貨物アンカは、舌部が第１位置に在るときに舌部の開孔１１３を通してアクセス可能なレバー機構１１１を有し、その結果開孔１１３を通してレバー機構１１１の一部分に対して加えられた下向きの力がレバー機構１１１を回動させ、レバー機構１１１が舌部１０５を第１位置から揚動させる。舌部１０５は、一体成形された一本以上のシャフト１０７により支持部材１０３に回動可能に結合される。
2008512624.tif 000002
【特許請求の範囲】
【請求項１】
上側表面を有する支持部と、
拘束用ストラップの一部分を受容する開孔を備えた舌部であって、該舌部が前記支持部の前記上側表面と実質的に面一である第１位置から、前記開孔が前記上側表面の上方に少なくとも部分的に露出されるように該舌部が前記支持部から略上方に延在する第２位置まで、前記支持部に対して回動可能な舌部と、
前記舌部の下方のレバー機構であって、前記舌部が前記第１位置に在るときに前記舌部の前記開孔を通してアクセス可能であると共に、前記開孔を通して該レバー機構の一部分に対して加えられた下向きの力が該レバー機構を回動させて該レバー機構が前記舌部を前記第１位置から揚動させるように構成されたレバー機構と、を具備する貨物アンカ。
【請求項２】
前記レバー機構は、前記舌部の下方に回動可能に取り付けられたレバー部材を具備する、請求項１に記載の貨物アンカ。
【請求項３】
前記レバー機構は、前記舌部が前記第１位置に在るときに該舌部の前記開孔をその下側から実質的に覆うように構成される、請求項１又は２に記載の貨物アンカ。
【請求項４】
前記支持部は２つのフランジを備え、
前記舌部及びレバー機構は前記フランジに対して回動可能に取り付けられる、請求項１〜３のいずれか一項に記載の貨物アンカ。
【請求項５】
前記支持部は、前記舌部が前記第１位置に在るときに該舌部の周縁部を概ね囲繞するハウジングを具備する、請求項１〜３のいずれか一項に記載の貨物アンカ。
【請求項６】
前記舌部が前記第１位置から離れたときに異物が該ハウジングから出て行けるように、前記ハウジングの下側が概ね開放されている、請求項５に記載の貨物アンカ。
【請求項７】
請求項１〜６のいずれか一項に記載の貨物アンカであって、
前記舌部が前記第１位置に在るときに前記上側表面の上方から該貨物アンカを通過する異物を最小限に抑えるために該貨物アンカが概ね閉じられるように、及び前記舌部が前記第２位置に在るときに異物が前記上側表面の上方から該貨物アンカを通り抜けて落下することを可能にするために該貨物アンカが概ね開放されるように構成された貨物アンカ。
【請求項８】
前記舌部は一本以上の回動シャフトにより前記支持部に対して回動可能に取り付けられる、請求項１〜７のいずれか一項に記載の貨物アンカ。
【請求項９】
前記舌部は、夫々が該舌部の両側部から外方に延びて前記支持部に対して回動可能に係合する２本の短寸シャフトにより前記支持部に対して回動可能に取り付けられる、請求項８に記載の貨物アンカ。
【請求項１０】
前記一本以上のシャフトは前記舌部と一体である、請求項８又は９に記載の貨物アンカ。
【請求項１１】
前記舌部及び前記一本以上のシャフトは一体的に鋳造された構成要素である、請求項１０に記載の貨物アンカ。
【請求項１２】
前記一本以上のシャフトは前記支持部に対して回転軸心の回りで回転可能であると共に、前記舌部はほぼ平面的であり、且つ、
前記舌部は、該舌部の平面が前記一本以上のシャフトの回転軸心と概ね平行であるように前記一本以上のシャフトを備えて構成される、請求項８〜１１のいずれか一項に記載の貨物アンカ。
【請求項１３】
少なくとも約７８．５ｋＮの許容荷重を有する、請求項１〜１２のいずれか一項に記載の貨物アンカ。
【請求項１４】
車両の前記貨物担持領域に取り付けられたとき、前記舌部の前記第１位置において前記舌部が移動体の貨物担持領域の床部と実質的に面一に位置するように、及び前記舌部の前記第２位置において前記舌部の前記開孔が前記貨物担持領域の前記床部の上方に少なくとも部分的に露出するようにされた、請求項１〜１３のいずれか一項に記載の貨物アンカ。
【請求項１５】
車両の前記貨物担持領域に取り付けられたとき、前記舌部の前記第１位置において前記舌部が移動体の貨物担持領域の壁部と実質的に面一に位置するように、及び前記舌部の前記第２位置において前記舌部の前記開孔が前記貨物担持領域の前記壁部から内方に少なくとも部分的に露出するようにされた、請求項１〜１３のいずれか一項に記載の貨物アンカ。
【請求項１６】
前記舌部の前記開孔は前記舌部が前記第２位置に在るときに完全に露出される、請求項１〜１５のいずれか一項に記載の貨物アンカ。
【請求項１７】
貨物支持表面を有する貨物担持領域と少なくとも一個の貨物アンカとを具備する、貨物を担持する移動体であって、前記貨物アンカが、
拘束用ストラップの一部分を受容する開孔を備えた舌部であって、該舌部が前記貨物支持表面と実質的に面一である第１位置から、前記開孔が前記貨物担持領域において少なくとも部分的に露出されるように該舌部が前記貨物支持表面から延びる第２位置まで、前記貨物支持表面に対して回動可能な舌部と、
前記舌部と組み合わされたレバー機構であって、前記舌部が前記第１位置に在るときに前記舌部の前記開孔を通してアクセス可能であると共に、前記開孔を通して該レバー機構の一部分に対して加えられた力が該レバー機構を回動して該レバー機構が前記舌部を前記第１位置から前記第２位置へと移動させるように構成されたレバー機構とを具備する、
貨物を担持する移動体。
【請求項１８】
前記レバー機構は回動可能に取り付けられたレバー部材を具備する、請求項１７に記載の移動体。
【請求項１９】
前記レバー機構は、前記舌部が前記第１位置に在るときに該舌部の前記開孔を一方の側から実質的に覆うように構成される、請求項１７又は１８に記載の移動体。
【請求項２０】
前記貨物支持表面は前記貨物担持領域の床部であり、
前記舌部が前記第１位置から離れたときに異物が前記貨物アンカから出て行けるように、前記レバー機構の下方の領域が概ね開放されている、請求項１７〜１９のいずれか一項に記載の移動体。
【請求項２１】
前記貨物アンカは、前記舌部が前記第１位置に在るときに該貨物アンカを通過する異物を最小限に抑えるために該貨物アンカが概ね閉じられるように、及び前記舌部が前記第２位置に在るときに異物が該貨物アンカを通過することを可能にするために前記貨物アンカが概ね開放されるように構成される、請求項１７〜２０のいずれか一項に記載の移動体。
【請求項２２】
前記舌部は一本以上の回動シャフトにより前記貨物支持表面に対して回動可能に取り付けられる、請求項１７〜２１のいずれか一項に記載の移動体。
【請求項２３】
前記舌部は、夫々が該舌部の両側部から外方に延在する２本の短寸シャフトにより前記貨物支持表面に対して回動可能に取り付けられる、請求項２２に記載の移動体。
【請求項２４】
前記一本以上のシャフトは前記舌部と一体である、請求項２２又は２３に記載の移動体。
【請求項２５】
前記舌部及び前記一本以上のシャフトは一体的に鋳造された構成要素である、請求項２４に記載の移動体。
【請求項２６】
前記一本以上のシャフトは前記貨物支持表面に対して回転軸心の回りで回転可能であると共に、前記舌部はほぼ平面的であり、且つ、
前記舌部は、該舌部の平面が前記一本以上のシャフトの回転軸心と概ね平行であるように前記一本以上のシャフトを備えて構成される、請求項２２〜２５のいずれか一項に記載の移動体。
【請求項２７】
前記舌部の前記開孔は該舌部が前記第２位置に在るときに完全に露出される、請求項１７〜２６のいずれか一項に記載の移動体。
【請求項２８】
前記移動体はトラックである、請求項１７〜２７のいずれか一項に記載の移動体。
【請求項２９】
前記移動体はトラックと共に使用されるトレーラである、請求項１７〜２７のいずれか一項に記載の移動体。
【請求項３０】
前記移動体は積送コンテナである、請求項１７〜２７のいずれか一項に記載の移動体。
【請求項３１】
上側表面を有する支持部とプレート状舌部とを具備する、貨物アンカであって、
前記プレート状舌部は、拘束用ストラップの一部分を受容する開孔と、一本以上の一体の回動シャフトとを有し、
前記一本以上の一体の回動シャフトは、該舌部が前記支持部の前記上側表面と実質的に面一である第１位置から、前記開孔が前記上側表面の上方に少なくとも部分的に露出されるように該舌部が前記支持部から略上方に延在する第２位置まで前記舌部が移動可能であるように前記舌部を前記支持部に枢着する、貨物アンカ。
【請求項３２】
前記一本以上のシャフトは前記舌部に溶接される、請求項３１に記載の貨物アンカ。
【請求項３３】
前記舌部及び前記一本以上のシャフトは一体的に鋳造された構成要素である、請求項３１に記載の貨物アンカ。
【請求項３４】
前記支持部は２つのフランジを備え、且つ、
前記舌部は前記フランジに対して回動可能に取り付けられる、請求項３１〜３３のいずれか一項に記載の貨物アンカ。
【請求項３５】
前記支持部は、前記舌部が前記第１位置に在るときに該舌部の周縁部を概ね囲繞するハウジングを具備する、請求項３１〜３３のいずれか一項に記載の貨物アンカ。
【請求項３６】
前記舌部が前記第１位置から離れたときに異物が該ハウジングから出て行けるように、前記ハウジングの下側が概ね開放されている、請求項３５に記載の貨物アンカ。
【請求項３７】
請求項３１〜３６のいずれか一項に記載の貨物アンカであって、
前記舌部が前記第１位置に在るときに前記上側表面の上方から該貨物アンカを通過する異物を最小限に抑えるために該貨物アンカが概ね閉じられるように、及び前記舌部が前記第２位置に在るときに異物が前記上側表面の上方から該貨物アンカを通り抜けて落下することを可能にするために該貨物アンカが概ね開放されるように構成された貨物アンカ。
【請求項３８】
前記舌部は、夫々が該舌部の両側部から外方に延びて前記支持部に対して回動可能に係合する２本の短寸シャフトにより前記支持部に対して回動可能に取り付けられる、請求項３１〜３７のいずれか一項に記載の貨物アンカ。
【請求項３９】
前記一本以上のシャフトは前記支持部に対して回転軸心の回りで回転可能であると共に、前記舌部はほぼ平面的であり、且つ、
前記舌部は、該舌部の平面が前記一本以上のシャフトの回転軸心と概ね平行であるように前記一本以上のシャフトを備えて構成される、請求項３１〜３８のいずれか一項に記載の貨物アンカ。
【請求項４０】
少なくとも約７８．５ｋＮの許容荷重を有する、請求項３１〜３９のいずれか一項に記載の貨物アンカ。
【請求項４１】
車両の前記貨物担持領域に取り付けられたとき、前記舌部の前記第１位置において前記舌部が移動体の貨物担持領域の床部と実質的に面一に位置するように、及び前記舌部の前記第２位置において前記舌部の前記開孔が前記貨物担持領域の前記床部の上方に少なくとも部分的に露出するようにされた、請求項３１〜４０のいずれか一項に記載の貨物アンカ。
【請求項４２】
車両の前記貨物担持領域に取り付けられたとき、前記舌部の前記第１位置において前記舌部が移動体の貨物担持領域の壁部と実質的に面一に位置するように、及び前記舌部の前記第２位置において前記舌部の前記開孔が前記貨物担持領域の前記壁部から内方に少なくとも部分的に露出するようにされた、請求項３１〜４０のいずれか一項に記載の貨物アンカ。
【請求項４３】
前記舌部の前記開孔は前記舌部が前記第２位置に在るときに完全に露出される、請求項３１〜４２のいずれか一項に記載の貨物アンカ。
【請求項４４】
貨物支持表面を有する貨物担持領域と少なくとも一個の貨物アンカとを具備する、貨物を担持する移動体であって、
前記貨物アンカは、拘束用ストラップの一部分を受容する開孔と一本以上の一体の回動シャフトとを有するプレート状舌部を具備し、
前記一本以上の一体の回動シャフトは、前記舌部が前記貨物支持表面と実質的に面一である第１位置から、前記開孔が前記貨物担持領域において少なくとも部分的に露出されるように前記舌部が前記貨物支持表面から延びる第２位置まで前記舌部が移動可能であるように、前記舌部を前記貨物支持表面に回動可能に取付ける、
貨物を担持する移動体。
【請求項４５】
前記一本以上のシャフトは前記舌部に溶接される、請求項４４に記載の移動体。
【請求項４６】
前記舌部及び前記一本以上のシャフトは一体的に鋳造された構成要素である、請求項４５に記載の移動体。
【請求項４７】
前記貨物支持表面は前記貨物担持領域の床部であり、且つ、
前記舌部が前記第１位置から離れたときに異物が前記貨物アンカから出て行けるように、前記貨物アンカの下方の領域が概ね開放されている、請求項４４〜４６のいずれか一項に記載の移動体。
【請求項４８】
前記貨物アンカは、前記舌部が前記第１位置に在るときに該貨物アンカを通過する異物を最小限に抑えるために該貨物アンカが概ね閉じられるように、及び前記舌部が前記第２位置に在るときに異物が該貨物アンカを通過することを可能にするために前記貨物アンカが概ね開放されるように構成される、請求項４４〜４７のいずれか一項に記載の移動体。
【請求項４９】
前記舌部は、夫々が前記舌部の両側部から外方に延在する２本の短寸シャフトにより前記貨物支持表面に対して回動可能に取り付けられる、請求項４４〜４８のいずれか一項に記載の移動体。
【請求項５０】
前記一本以上のシャフトは前記貨物支持表面に対して回転軸心の回りで回転可能であると共に、前記舌部はほぼ平面的であり、且つ、
前記舌部は、前記舌部の平面が前記一本以上のシャフトの回転軸心と概ね平行であるように前記一本以上のシャフトを備えて構成される、請求項４４〜４９のいずれか一項に記載の移動体。
【請求項５１】
前記舌部の前記開孔は前記舌部が前記第２位置に在るときに完全に露出される、請求項４４〜５０のいずれか一項に記載の移動体。
【請求項５２】
前記移動体はトラックである、請求項４４〜５１のいずれか一項に記載の移動体。
【請求項５３】
前記移動体はトラックと共に使用されるトレーラである、請求項４４〜５１のいずれか一項に記載の移動体。
【請求項５４】
前記移動体は積送コンテナである、請求項４４〜５１のいずれか一項に記載の移動体。
【発明の詳細な説明】
【技術分野】
【０００１】
本発明は、輸送分野において使用される貨物アンカに関する。
【背景技術】
【０００２】
貨物又は他の移動体を輸送するためには多くの場合、平坦荷台、枠付き荷台又はトレーラなどの貨物担持領域を備えたトラックが使用される。しかし、貨物又は移動体は輸送の間に動き回ることから、貨物担持領域に対して固定されねばならない。多くの場合に貨物は、該貨物の全体に亙り又はその一部に亙り緊張延伸されたロープ、ストラップ又はチェーンを用いて固定されると共に、貨物アンカに対して締着される。また貨物を、航空機、船舶、鉄道客車などの他の貨物担持移動体に固定することもしばしば必要とされる。
【０００３】
移動体の貨物担持領域と共に使用される多数の貨物アンカが在る。例えば、ストラップに対するアンカを提供するためにフック又はチェーンがトラックの枠付き荷台に対して取り付けられる。斯かる取付具はトラックの平坦荷台、枠付き荷台、又はトレーラの貨物担持領域内へと突出して、貨物が枠付き荷台上で移動するときに該貨物に容易に引掛かり得る。
【０００４】
米国特許第４７６２４４９号及び米国特許第４９４８３１１号は、小型トラックの枠付き荷台の側壁に装着するための拘束アセンブリを記述している。それらの拘束アセンブリの舌部もしくはフックの鉛直方向での配置、該拘束アセンブリのサイズ、及び枢着ピンが貫通延在する開孔を舌部もしくはフックが有することの故に、前記拘束アセンブリの許容荷重は低く、また拘束アセンブリはかなりの側方荷重（これらの公報に示された実施例におけるフックもしくは舌部の平面と交差する方向における荷重）を引き受けるには特にふさわしくない。
【０００５】
米国特許第５７４９６８６号は、鉄道車両の積載凹所に対するコンテナ固定具を記述している。前記固定具は鉄道車両の積載凹所の側壁内に取り付けられると共に細長い固定用部材を有し、該固定用部材は、該固定用部材が鉄道車両の側壁内に受容される位置から、鉄道車両の側壁から該固定用部材が斜めに延在して鉄道車両の積載凹所の床部の孔に係合する位置まで移動可能である。前記細長い固定用部材は、該固定用部材を回動可能に取付ける回動シャフトが貫通延在する孔を含む。前記固定用部材は、該固定用部材が側壁内に受容される前記位置に在るとき、該固定用部材は前記側壁と面一には着座しない。前記デバイスが壁部に取り付けられるときには顕著な問題は起きないが、もし前記デバイスが床部に取り付けられたなら、該デバイスは自身が取り付けられた表面と面一には着座しないので該デバイスの縁部に貨物が引っ掛かることがある。更に、前記細長い固定用部材の孔を貫通延在する回動シャフトの故に側方許容荷重は低下するので、十分な側方荷重を提供するために細長部材が鉄道車両の床部における開孔に係合することが必要である。また、前記細長部材をその格納位置から解放するために、操作者は前記側壁の外側にアクセスしてラッチ部材を解除する必要がある。此処でも、側壁が低い鉄道車両の場合にはそれほどの問題は起きないが、他の一部の用途に対しては問題が生ずる。
【０００６】
米国特許第３９５５８４７号には、車椅子用の軽量の束縛アセンブリが記述されている。
【発明の開示】
【発明が解決しようとする課題】
【０００７】
本発明の少なくとも好適な実施例の目的は、上で概説された不都合の内の少なくとも一つの不都合を改良する助けになる、及び／又は少なくとも有用な選択肢を公衆に与える貨物アンカを提供することである。
【課題を解決するための手段】
【０００８】
本発明の第１の様相に依れば、
上側表面を有する支持部と、
拘束用ストラップの一部分を受容する開孔を備えた舌部であって、該舌部が前記支持部の前記上側表面と実質的に面一である第１位置から、前記開孔が前記上側表面の上方に少なくとも部分的に露出されるように前記舌部が前記支持部から略上方に延在する第２位置まで、前記支持部に対して回動可能な舌部と、
前記舌部の下方のレバー機構であって、前記舌部が前記第１位置に在るときに前記舌部の前記開孔を通してアクセス可能であると共に、前記開孔を通して該レバー機構の一部分に対して加えられた下向きの力が該レバー機構を回動させて該レバー機構が前記舌部を前記第１位置から揚動させるように構成されたレバー機構とを具備する、貨物アンカが提供される。
【０００９】
本明細書及び各請求項において使用される“具備する”という語句は、“少なくとも部分的に〜から構成される”ことを意味し、すなわち、本明細書及び各請求項においてこの語句を含む記述を解釈する場合、各記述においてこの語句が前置きされた特徴は全てが存在する必要があるが、他の特徴も存在し得る。
【００１０】
本明細書及び各請求項において使用されたように“上側の”、“上方に”、“下向き”などの用語は、相対的な方向を記述するために使用される。使用に際し、前記貨物アンカは種々の配向で設置され得ることが理解されるであろう。各請求項は、斯かる配向を包含するように十分に広範囲に解釈されるべきである。
【００１１】
前記レバー機構は、前記舌部の下方に回動可能に取り付けられたレバー部材を備えてよい。
【００１２】
前記レバー機構は好適には、前記舌部が前記第１位置に在るときに前記舌部の前記開孔をその下側から実質的に覆うように構成される。
【００１３】
前記支持部は２つのフランジを備えると共に、前記舌部及びレバー機構は前記フランジに対して回動可能に取り付けられる。
【００１４】
前記支持部は、前記舌部が前記第１位置に在るときに前記舌部の周縁部を概ね囲繞するハウジングを具備する。前記舌部が前記第１位置から離れたときに異物が該ハウジングから出て行けるように、好適には前記ハウジングの下側が概ね開放されている。
【００１５】
好適には前記貨物アンカは、前記舌部が前記第１位置に在るときに前記上側表面の上方から該貨物アンカを通過する異物を最小限に抑えるために該貨物アンカが概ね閉じられるように、及び前記舌部が前記第２位置に在るときに異物が前記上側表面の上方から該貨物アンカを通り抜けて落下することを可能にするために該貨物アンカが概ね開放されるように構成される。
【００１６】
前記舌部は一本以上の回動シャフトにより前記支持部に対して回動可能に取り付けられる。前記舌部は、夫々が前記舌部の両側部から外方に延びて前記支持部に対して回動可能に係合する２本の短寸シャフトにより前記支持部に対して回動可能に取り付けられる。
【００１７】
好適には、前記一本以上のシャフトは前記舌部と一体である。更に好適には、前記舌部及び一本以上のシャフトは一体的に鋳造された構成要素である。
【００１８】
好適な実施例において、前記一本以上のシャフトは前記支持部に対して回転軸心の回りで回転可能であり、且つ、前記舌部は、ほぼ平面的であると共に、該舌部の平面が前記一本以上のシャフトの回転軸心と概ね平行であるように前記一本以上のシャフトを備えて構成される。
【００１９】
前記貨物アンカは好適には、少なくとも約７８．５ｋＮの許容荷重を有する。
【００２０】
前記貨物アンカは、前記舌部の前記第１位置において前記舌部が移動体の貨物担持領域の床部と実質的に面一に位置するように、及び前記舌部の前記第２位置において前記舌部の前記開孔が前記貨物担持領域の前記床部の上方に少なくとも部分的に露出されるように、前記貨物担持領域に取り付けられる。代替的に前記貨物アンカは、前記舌部の前記第１位置において前記舌部が移動体の貨物担持領域の壁部と実質的に面一に位置するように、及び前記舌部の前記第２位置において前記舌部の前記開孔が前記貨物担持領域の前記壁部から内方に少なくとも部分的に露出されるように前記貨物担持領域に取り付けられる。
【００２１】
好適には、前記舌部の前記開孔は前記舌部が前記第２位置に在るときに完全に露出される。
【００２２】
本発明の第２の様相に依れば、貨物支持表面を有する貨物担持領域と少なくとも一個の貨物アンカとを具備する、貨物を担持する移動体であって、前記貨物アンカが、
拘束用ストラップの一部分を受容する開孔を備えた舌部であって、前記舌部が前記貨物支持表面と実質的に面一である第１位置から、前記開孔が前記貨物担持領域において少なくとも部分的に露出されるように前記舌部が前記貨物支持表面から延びる第２位置まで、前記貨物支持表面に対して回動可能な舌部と、
前記舌部と組み合わされたレバー機構であって、前記舌部が前記第１位置に在るときに前記舌部の前記開孔を通してアクセス可能であると共に、前記開孔を通して該レバー機構の一部分に対して加えられた力が該レバー機構を回動して該レバー機構が前記舌部を前記第１位置から前記第２位置へと移動させるように構成されたレバー機構とを具備する貨物アンカとを具備する、貨物を担持する移動体が提供される。
【００２３】
本明細書及び各請求項において使用されるように“移動体”という語句は、貨物を担持する装置として広範囲に解釈されるべきである。該移動体は自走式である必要はない。前記移動体は例えば、トラック、航空機、船舶又は列車であり得る。代替的に前記移動体は例えば、トラックの枠付き荷台、平坦荷台もしくはトレーラ、又は鉄道車両であり得る。別の例として前記移動体は積送コンテナであり得る。
【００２４】
前記レバー機構は回動可能に取り付けられたレバー部材を備える。
【００２５】
前記レバー機構は、前記舌部が前記第１位置に在るときに前記舌部の前記開孔を一方の側から実質的に覆うように構成される。
【００２６】
好適には、前記貨物支持表面は前記貨物担持領域の床部であり、且つ前記舌部が前記第１位置から離れたときに異物が前記貨物アンカから出て行けるように、前記レバー機構の下方の領域は概ね開放されている。
【００２７】
好適には前記貨物アンカは、前記舌部が前記第１位置に在るときに該貨物アンカを通過する異物を最小限に抑えるために該貨物アンカが概ね閉じられるように、及び前記舌部が前記第２位置に在るときに異物が該貨物アンカを通過することを可能にするために前記貨物アンカが概ね開放されるように構成される。
【００２８】
前記舌部は一本以上の回動シャフトにより前記貨物支持表面に対して回動可能に取り付けられる。前記舌部は、夫々が前記舌部の両側部から外方に延在する２本の短寸シャフトにより前記貨物支持表面に対して回動可能に取り付けられる。
【００２９】
前記一本以上のシャフトは前記舌部と一体であり得る。好適には、前記舌部及び一本以上のシャフトは一体的に鋳造された構成要素である。
【００３０】
好適な実施例において、前記一本以上のシャフトは前記貨物支持表面に対して回転軸心の回りで回転可能であり、且つ、前記舌部はほぼ平面的であると共に、前記舌部の平面が前記一本以上のシャフトの回転軸心と概ね平行であるように前記一本以上のシャフトを備えて構成される。
【００３１】
好適には、前記舌部の前記開孔は前記舌部が前記第２位置に在るときに完全に露出される。
【００３２】
前記移動体は好適にはトラックであり、又は例えばトラックと共に使用されるトレーラであり得る。好適な代替実施例において、前記移動体は積送コンテナであり得る。
【００３３】
本発明の第３の様相に依れば、上側表面を有する支持部とプレート状舌部とを具備する貨物アンカが提供され、
前記プレート状舌部は、拘束用ストラップの一部分を受容する開孔と一本以上の一体の回動シャフトとを有し、
前記一本以上の一体の回動シャフトは、前記舌部が前記支持部の前記上側表面と実質的に面一である第１位置から、前記開孔が前記上側表面の上方に少なくとも部分的に露出されるように前記舌部が前記支持部から略上方に延在する第２位置まで前記舌部が移動可能であるように、前記舌部を前記支持部に対して枢着する。
【００３４】
前記一本以上のシャフトは前記舌部に溶接される。代替的に、前記舌部及び一本以上のシャフトが一体的に鋳造された構成要素であってもよい。
【００３５】
前記支持部は２つのフランジを備えると共に、前記舌部は前記フランジに対して回動可能に取り付けられる。
【００３６】
前記支持部は、前記舌部が前記第１位置に在るときに前記舌部の周縁部を概ね囲繞するハウジングを具備する。前記舌部が前記第１位置から離れたときに異物が該ハウジングから出て行けるように、好適には前記ハウジングの下側が概ね開放されている。
【００３７】
好適には前記貨物アンカは、前記舌部が前記第１位置に在るときに前記上側表面の上方から該貨物アンカを通過する異物を最小限に抑えるために該貨物アンカが概ね閉じられるように、及び前記舌部が前記第２位置に在るときに異物が前記上側表面の上方から該貨物アンカを通り抜けて落下することを可能にするために該貨物アンカが概ね開放されるように構成される。
【００３８】
前記舌部は、夫々が前記舌部の両側部から外方に延びて前記支持部に対して回動可能に係合する２本の短寸シャフトにより前記支持部に対して回動可能に取り付けられる。
【００３９】
好適には、前記一本以上のシャフトは前記支持部に対して回転軸心の回りで回転可能であり、且つ、前記舌部はほぼ平面的であると共に、前記舌部の平面が前記一本以上のシャフトの回転軸心と概ね平行であるように前記一本以上のシャフトを備えて構成される。
【００４０】
前記貨物アンカは好適には、少なくとも約７８．５ｋＮの許容荷重を有する。
【００４１】
好適には、前記舌部の前記開孔は前記舌部が前記第２位置に在るときに完全に露出される。
【００４２】
前記貨物アンカは、前記舌部の前記第１位置において前記舌部が移動体の貨物担持領域の床部と実質的に面一に位置するように、及び前記舌部の前記第２位置において前記舌部の前記開孔が前記貨物担持領域の前記床部の上方に少なくとも部分的に露出されるように前記貨物担持領域に取り付けられる。代替的に前記貨物アンカは、前記舌部の前記第１位置において前記舌部が移動体の貨物担持領域の壁部と実質的に面一に位置するように、及び前記舌部の前記第２位置において前記舌部の前記開孔が前記貨物担持領域の前記壁部から内方に少なくとも部分的に露出されるように前記貨物担持領域に取り付けられる。
【００４３】
本発明の第４の様相に依れば、貨物支持表面を有する貨物担持領域と少なくとも一個の貨物アンカとを具備する、貨物を担持する移動体が提供され、
前記貨物アンカは、拘束用ストラップの一部分を受容する開孔と一本以上の一体の回動シャフトとを有するプレート状舌部を具備し、
前記一本以上の一体の回動シャフトは、前記舌部が前記貨物支持表面と実質的に面一である第１位置から、前記開孔が前記貨物担持領域において少なくとも部分的に露出されるように前記舌部が前記貨物支持表面から延びる第２位置まで前記舌部が移動可能であるように、前記舌部を前記貨物支持表面に回動可能に取付ける。
【００４４】
前記一本以上のシャフトは前記舌部に溶接される。代替的に、前記舌部及び一本以上のシャフトは一体的に鋳造された構成要素である。
【００４５】
好適には、前記貨物支持表面は前記貨物担持領域の床部であり、且つ前記舌部が前記第１位置から離れたときに異物が前記貨物アンカから出て行けるように、前記貨物アンカの下方の領域は概ね開放されている。
【００４６】
好適には前記貨物アンカは、前記舌部が前記第１位置に在るときに該貨物アンカを通過する異物を最小限に抑えるために該貨物アンカが概ね閉じられるように、及び前記舌部が前記第２位置に在るときに異物が該貨物アンカを通過することを可能にするために前記貨物アンカが概ね開放されるように構成される。
【００４７】
前記舌部は、夫々が前記舌部の両側部から外方に延在する２本の短寸シャフトにより前記貨物支持表面に対して回動可能に取り付けられる。
【００４８】
好適には、前記一本以上のシャフトは前記貨物支持表面に対して回転軸心の回りで回転可能であり、且つ前記舌部はほぼ平面的であると共に、前記舌部の平面が前記一本以上のシャフトの回転軸心と概ね平行であるように前記一本以上のシャフトを備えて構成される。
【００４９】
好適には、前記舌部の前記開孔は前記舌部が前記第２位置に在るときに完全に露出される。
【００５０】
前記移動体は好適にはトラックであり、又は例えばトラックと共に使用されるトレーラであり得る。好適な代替実施例において、前記移動体は積送コンテナであり得る。
【００５１】
本発明は前記に在ると共に、以下において単に例示される構成も企図している。
【発明を実施するための最良の形態】
【００５２】
次に、添付図面を参照して本発明の好適な実施例が説明される。
【００５３】
図１〜図６を参照すると、第１の好適な実施例の貨物アンカ１は、支持部３と、舌部５と、支持部３から延在する側部フランジ９内に受容された回動シャフト７を具備する回動軸と、舌部と組み合わされて該舌部の揚動を補助するレバー機構１１とを有する。舌部には、拘束用のストラップ、チェーンなどの一部分を受容するための開孔１３が配備されている。
【００５４】
示された実施例において支持部３は、好適にはほぼ矩形状のプレートの形態であるが、必要に応じて他の形状が使用されてよい。第２の好適な実施例に関して以下に記述される様に支持部は、舌部の周縁部をほぼ囲繞するハウジングのような異なる形態でもよい。支持部３は開孔４を備える。支持部の前記開孔は、図１に示された非作動位置に在るときに舌部を受容するキャビティを提供する。
【００５５】
支持部３は、前記プレートの各側部から延在する側部フランジ９であって、支持部の一体的部分として形成されるか、又は溶接などにより支持部に対して接続される側部フランジ９を含む。側部フランジの各々は、回動シャフト７の一部分を受容する開孔１０を備える。前記シャフトは、開孔１０内において該シャフトの長手軸心の回りで回転可能であり、舌部が支持部に対して回動することを可能にする。
【００５６】
示された実施例において、舌部５はプレート状部材であると共に、好適には実質的に矩形状である。舌部の自由端部は、好適には丸み付けされた角部を有する。回動シャフトは舌部と一体であり、且つ示された実施例においては、溶接部Ｗにより示されるように、舌部の第１の基端に又は該基端の近傍に溶接により一体にされている。回動シャフトは好適には、舌部の第１の基端に在り又は該基端の近傍に在る。示された実施例において舌部は概ね平面的であると共に、該舌部の平面が該回動シャフトの回転軸心に対して実質的に平行であるように回動シャフトを備えて構成される。回動シャフト７の各端部は、側部フランジにおける開孔１０内へ又は該開孔を貫通して延在する。単一のシャフトとするのではなく回動軸は、第２実施例に関して以下に記述されるように例えば２本の短寸シャフトにより提供されてよい。開孔１３は好適には、舌部の第２の末端の近くにある。
【００５７】
舌部は、該舌部が支持部３の上側表面３'と実質的に面一の第１非作動位置から、開孔１３が支持部３の上側表面３'の上方に露出されるように舌部が支持部から概ね上方に延在する第２作動位置まで移動可能である。非作動位置は図１に示され、作動位置は図５に示される。
【００５８】
レバー機構１１は、図１に示された非作動位置から図５に示された作動位置に向けて貨物アンカを移動させるのを補助すべく構成されている。レバー機構１１は、プレート状レバー部材１１ａを具備しており、前記プレート状レバー部材１１ａは、この実施例においては該レバー部材１１ａから延びるアーム１１ｂにして側部フランジ９の開孔１５内に又は該開孔を貫通して延びるアーム１１ｂによって側部フランジ９に回動可能に結合されている。
【００５９】
図２及び図４に示されたようにレバー機構１１のアーム１１ｂは好適には断面がほぼ矩形状であり、開孔１５は好適には示されたような傾斜下側表面１５ａを含む。開孔１５の傾斜下側表面１５ａは、側部フランジ９と支持部材３とに対するレバー部材１１ａの最大傾斜を決定することができる。他の回動機構が使用され得る。
【００６０】
示された実施例において舌部は非作動位置において、レバー機構１１により支持される。レバー部材１１ａは、支持部の上側表面と面一になる処を過ぎて舌部が回転するのを阻止すると共に、該舌部が非作動位置に在るときに物体又は異物などの対象物が該舌部の開孔１３を通過するのを最少限に抑えもする。ストッパをレバー機構１１に頼るのではなく、ストッパを支持部の一部として形成すること又は支持部に結合することが可能である。ストッパはまた、支持部３に対する舌部５の角度的な最大延長点も規定することができる。再度述べると、ストッパを支持部３の一部として形成すること又は支持部に結合することが可能である。
【００６１】
図７は、回動シャフト７に最も近い舌部５の開孔１３の端部を矢印Ａに示されたように開孔１３を通して下方に押している使用者の指Ｆを示している。図において理解され得るように舌部の開孔１３は好適には略涙滴形状であり、前記略涙滴形状は、開孔１３の狭幅部分が舌部の基端に向いていて開孔１３の広幅部分が舌部５の末端に向いている。これにより、舌部の基端の近くのレバー部材１１ａの部分を使用者が下方に押すための十分なスペースが提供される一方で、舌部の十分な強度が依然として維持される。
【００６２】
回動シャフト７に近位のレバー部材１１ａの端部を支持部３に対して下方に押すことにより、回動シャフト７から遠位のレバー部材１１ａの端部は支持部３に対して上方に移動する。レバー部材の回動は、１１ｂ、１５の回りで行われる。レバー部材１１ａの末端は舌部５の自由端部の下側面に当接してそれを上方に押すことにより、舌部の末端を支持部に対して上昇させる。上昇された位置において、使用者が開孔１３をとおして及び／又は舌部５の末端の回りにて舌部５を把持して図８に示された方向Ｂで舌部を作動位置に向けて引張ることがより簡単である。
【００６３】
支持部３、舌部５、側部フランジ９及びレバー機構１１は典型的には、厚い中張力鋼プレート（好適にはグレード３５０鋼）で作成される。回動シャフト７は典型的には、中張力鋼棒（好適にはグレード３５０鋼）で作成されて舌部の基端に又は基端の近傍に溶接される。以下に言及されるように、貨物アンカは、一体の舌部とシャフトを設けることにより向上した許容荷重（及び特に側方許容荷重）を有することが見出された。一体の舌部及びシャフトを溶接で形成することにより優れた側方荷重が達成される一方、鉄鋼などの適切な材料から舌部及びシャフトを一体に鋳造することにより許容荷重は更に向上され得る。支持プレートは、側部フランジと一体に鋳造されてよい。
【００６４】
各構成要素に対する寸法及び材料は、貨物アンカが車両などの高重量物体からの荷重に耐えることができるように選択される。示された実施例において貨物アンカは７８．５ｋＮの定格荷重を有するが、更に軽い又は重い重量用途に対しては他の材料及び寸法を使用できることが理解されるであろう。例えば、９８．１ｋＮ又は４９．０ｋＮの定格荷重を有する貨物アンカが提供され得る。一部の用途に対して適切な材料は、軟鋼、高張力鋼、及び合金などの他の金属、又はプラスチックなどの代替的材料である。例えば海洋用途に対してはステンレス鋼が特に有用である。
【００６５】
貨物アンカの構成要素は、腐食を防止するために及び美観目的で亜鉛メッキ並びに／又は塗装され得る。
【００６６】
図９は、車両の貨物担持領域に対して取り付けられた該好適な実施例の２個の貨物アンカ１を示しており、前記車両の貨物担持領域はこの好適な実施例においては床部２１ａ及び（一方のみが示される）側壁２１ｂの形態の貨物支持表面を有するトラックの枠付き荷台２１である。トラックの枠付き荷台が記述されるが、本貨物アンカをトラックの平坦荷台のような他の貨物担持領域において使用することができる。更に貨物アンカは、例えばトラックと共に使用されるトレーラ、航空機、船舶、列車、鉄道車両、又は積送コンテナなどの他の移動体において使用可能である。通常は貨物アンカは貨物担持領域の床部に取り付けられるが、貨物担持領域の側壁などの他の箇所に取り付けられることが可能である。示された実施例において貨物アンカ１は枠付き荷台の床部２１ａに設置されることから、貨物アンカの舌部３は非作動位置に在るときに枠付き荷台の床部２１ａと実質的に面一である。
【００６７】
示された実施例において基部プレートは、前記床部の下側面に対し、又は該床部の下側の（不図示の）横材に固定される。一実施例においてトラックの枠付き荷台の床部には支持部材３より僅かに小さい孔２３が切り開けられ、支持部材３は図１１における溶接部Ｗにより示されるように床部の下側面に溶接される。図１０に示されたように溶接部Ｗは、前記孔の周縁部の回りで支持部３の上側表面に接触して形成される。基部プレートのこの位置は、貨物アンカ組立体が非作動位置に在る間に貨物担持領域に突出しないことを保証する。
【００６８】
図９及び図１０から理解できるように舌部５は、該舌部が床部２１ａとほぼ面一の第１非作動位置から、開孔１３が床部２１ａの上方に露出されるように床部から概ね上方に延在する第２作動位置まで移動可能である。非作動位置は図９に示され、作動位置は図１０に示される。
【００６９】
使用中でないときに貨物アンカは、舌部が床部２１ａと面一の図９に示された非作動位置に在る。次に床部２１ａ上には（不図示の）貨物又は車両が移動される。貨物アンカはそれらの非作動位置に在るとき、該貨物アンカと貨物との間の干渉は殆ど又は全くない。次に一本以上の（不図示の）拘束ロープ、ストラップ、若しくはチェーン、又は類似物が貨物に張り渡される。舌部５の回動シャフト７に向いたレバー部材１１ａの端部で該レバー部材を下方に押圧してから、開孔１３が床部２１ａの上方に露出される様に舌部５を揚動することにより、各舌部は図１０に示された作動位置へ上方に手動で回動される。この位置は、一本以上の拘束ロープ又はストラップが舌部５の開孔１３を挿通され又は該開孔に接続されることを可能にし、貨物を平坦荷台２１ａに固定する。貨物は概ね記述された手順を逆に使用することにより平坦荷台から取り外される。
【００７０】
本発明の別実施例では、舌部３、回動シャフト７、側部フランジ９、及びレバー機構１１は、別個の支持部３なしで移動体に対して直接的に組み付けられる。その場合、移動体の貨物支持表面は側部フランジ９と協働して貨物アンカの支持部を構成し得る。代替的に舌部３を移動体の貨物支持表面に対して直接的に回動可能に取付け可能であり、その場合には貨物支持表面が貨物アンカの支持部を構成し得る。
【００７１】
貨物アンカが垂直又は実質的に垂直な貨物支持表面に取り付けられる実施例では、舌部は支持表面と実質的に面一であるように好適に垂れ下がる。
【００７２】
図１２〜図１７ｃには、第２の好適な実施例の貨物アンカ２０１が示される。以下に記述されない限り、特徴及び動作は上述の内容と同一であるとみなされるべきであり、また同様の部材を表すために１００を追加した同様の番号が使用される。
【００７３】
第２の好適な実施例の貨物アンカは、その支持部１０３がハウジングの形態である点が異なる。前記ハウジングは好適には２つの部材１０３ａ、１０３ｂを有すると共に、通常は鋳造プロセスにより形成される。第１の好適な実施例において側部フランジ９及びプレート状支持部材３により提供された必要な特徴の全ては、ハウジング１０３の部分として形成される。ハウジング１０３は、舌部１０５を受容する開孔１０４を提供する。各ハウジング部材１０３ａ及び１０３ｂは、舌部１０５の夫々の短寸シャフト１０７を受容する開孔もしくは凹所１１０、並びにレバー機構１１１の夫々のアーム１１１ｂを受容する開孔もしくは凹所１１５を含む。ハウジング部材１０３ａ及び１０３ｂは、それらの間に舌部及びレバー機構を捕捉するために一体に溶接されるか、又は相互に圧入される（支持部材ハウジング１０３が移動体上の所定位置に溶接されたときに所望の強度が獲得される）。
【００７４】
舌部１０５が短寸シャフト１０７を有する鋳造構成要素である点において異なり、前記短寸シャフト１０７は舌部から外方に延び、舌部の一体的部分として鋳造される。代替実施例においては、最大長の回動シャフトが舌部の一体的部分として鋳造され得る。
【００７５】
レバー機構の各アームは、ショルダ１１１ｃを備える。該ショルダ１１１ｃは、支持ハウジング１０３に対するレバー部材１１１ａの横方向移動の最少化に役立つ。
【００７６】
貨物アンカ２０１を組立てるために、舌部１０５の一方の短寸シャフト１０７及びレバー機構１１１の一方の延長部１１１ｂは、ハウジングの一方の部材の夫々の開孔もしくは凹所１１０、１１５ａに挿入される。次に、舌部１０５の他方の短寸シャフト１０７及びレバー機構１１１の他方のアーム１１１ｂがハウジングの他方の部材の夫々の開孔もしくは凹所１１０、１１５ａに受容されるように、ハウジングの他方の部材はハウジングの第１の部材と係合され、その結果舌部１０５及びレバー機構１１１がハウジングの２つの部材の間に捕捉される。ハウジングの２つの部材は一体に圧入又は溶接され、その後にハウジングは、通常は第１実施例に関して上述された様式で移動体に所定の位置に装着される。舌部１０５及びレバー機構１１１が第１実施例について上述された様態で支持部材ハウジングに対して回動可能であることが理解されるであろう。
【００７７】
第２の好適な実施例の貨物アンカの全体的動作は、先に概説された第１実施例に対するのと同一とみなされるべきである。示された実施例において、貨物アンカの構成要素は中張力鋼から作成され、各構成要素のサイズは、第２の好適な実施例の貨物アンカが７８．７ｋＮの許容荷重を有するように選択され得る。やはり、更に大きな又は更に小さな許容荷重を提供するために代替的な材料及び構成要素サイズが選択され得る。
【００７８】
前述の両方の実施例に関して、それらの舌部が第１非作動位置に在るときにプレート状レバーが該舌部と実質的に接触し、好適には該舌部における開孔の下側を完全に覆うように貨物アンカが構成されることが好適である。従って貨物アンカの舌部が第１位置に在るときに貨物アンカは概ね閉じられ、これは、舌部がその第１非作動位置に在るときに貨物アンカに対する異物通過を最小限に抑えることに役立つ。これはまた、第１非作動位置に在る貨物アンカを通り道路から水又は塵埃が貨物担持領域に進入するのを最小限に抑えることにも役立つ。このことは、時には砂利又は土砂などで充填されるが他の場合には高荷重の貨物アンカを要するダンプカーの枠付き荷台における使用に対して本貨物アンカを特に適合させる。更に、舌部が第２作動位置に在るとき貨物アンカは概ね開放し、このことは、異物が貨物アンカを通って落下することを可能にする。これは貨物アンカの目詰りの防止に役立つ。
【００７９】
前記好適な実施例の貨物アンカは、該舌部が濡れていたり汚れているときでさえもレバー機構の配備に依りその非作動位置からの離脱移動が容易な舌部を提供する。更に、貨物アンカに対して一本以上の一体的シャフトを設けることにより、貨物アンカは大きな側方許容荷重を有する。また貨物アンカは完全に囲われたハウジング内に収容される必要がないことから、貨物アンカは或る程度までは自浄式でもある。特に、レバー部材の一部分が下方に押されて舌部を揚動させるとき、舌部の開孔内に捕捉されていた異物はレバー部材から概ね滑り落ちる。尚、必ずしも全ての利点が本発明の全ての実施例に該当する必要がないことが理解されるであろう。
【００８０】
本発明の好適な実施例は単に例示を目的に記述されており、本発明の範囲から逸脱することなく好適な実施例に対する変更が可能である。
【００８１】
例えば、一体的な舌部及び一本以上の回動シャフトが示された特定の貨物アンカに関して記述されたが、斯かる構成が側方許容荷重を改善するために他の貨物アンカに適用されることが理解されるであろう。
【００８２】
更に、示された実施例では一本以上の回動シャフトは舌部の平面の下方にある。代わりに、一本以上の回動シャフトを受容する開孔もしくは凹所を示された実施例におけるよりも高位に位置させて、回動シャフトを舌部と概ね整列させることができる。
【００８３】
更に、移動体の貨物担持領域の貨物支持表面に又は該表面の下方に取り付けられた支持部を配備するのではなく、貨物担持領域の貨物支持表面における開孔内に、又は貨物担持領域に対して直接的に接続されたフランジにおける開孔内に、舌部を直接的に回動可能に取付けることができる。
【図面の簡単な説明】
【００８４】
【図１】第１非作動位置における第１の好適な実施例の貨物アンカの上方斜視図である。
【図２】前記非作動位置における図１の貨物アンカの側面図である。
【図３】前記第１非作動位置と第２作動位置との間における図１の貨物アンカの上方斜視図である。
【図４】図３の位置における前記貨物アンカの側面図である。
【図５】前記第２作動位置における図１の貨物アンカの上方斜視図である。
【図６】図５の位置における前記貨物アンカの一部分の上方斜視図である。
【図７】図１の貨物アンカを非作動位置から作動位置に向けて移動する使用者を示す上方斜視図である。
【図８】図１の貨物アンカを作動位置へ更に移動する使用者を示す上方斜視図である。
【図９】移動体の貨物担持領域に対して取り付けられ非作動位置に在る第１の好適な実施例に係る２個の貨物アンカを示す図である。
【図１０】前記移動体の貨物担持領域に取り付けられ作動位置に在る第１の好適な実施例の貨物アンカを示す図である。
【図１１】前記移動体の貨物担持領域に取り付けられた第１の好適な実施例の貨物アンカの底面図である。
【図１２】第２の好適な実施例の貨物アンカの構成要素の底面側からの分解斜視図である。
【図１３】第２の好適な実施例の貨物アンカの構成要素の上面側からの分解斜視図である。
【図１４ａ】第２の好適な実施例の貨物アンカの舌部の底面図である。
【図１４ｂ】第２の好適な実施例の貨物アンカの舌部の側面図である。
【図１４ｃ】第２の好適な実施例の貨物アンカの舌部の端面図である。
【図１５】組立てられて非作動形態に在る第２の好適な実施例の貨物アンカの一部分を示す下方斜視図である（明瞭化のためにハウジングの一方の半体は除かれている）。
【図１６ａ】舌部が非作動形態に在る好適な実施例の組み立てられた貨物アンカの上面図である。
【図１６ｂ】舌部が非作動形態に在る好適な実施例の組み立てられた貨物アンカの底面図である。
【図１７ａ】貨物アンカが非作動形態にある図１５の構成要素の側面図である。
【図１７ｂ】貨物アンカが中間形態にある図１５の構成要素の側面図である。
【図１７ｃ】貨物アンカが作動形態にある図１５の構成要素の側面図である。
【図１】
2008512624.tif 000003
【図２】
2008512624.tif 000004
【図３】
2008512624.tif 000005
【図４】
2008512624.tif 000006
【図５】
2008512624.tif 000007
【図６】
2008512624.tif 000008
【図７】
2008512624.tif 000009
【図８】
2008512624.tif 000010
【図９】
2008512624.tif 000011
【図１０】
2008512624.tif 000012
【図１１】
2008512624.tif 000013
【図１２】
2008512624.tif 000014
【図１３】
2008512624.tif 000015
【図１４ａ】
2008512624.tif 000016
【図１４ｂ】
2008512624.tif 000017
【図１４ｃ】
2008512624.tif 000018
【図１５】
2008512624.tif 000019
【図１６ａ】
2008512624.tif 000020
【図１６ｂ】
2008512624.tif 000021
【図１７ａ】
2008512624.tif 000022
【図１７ｂ】
2008512624.tif 000023
【図１７ｃ】
2008512624.tif 000024
【手続補正書】
【提出日】平成20年2月26日(2008.2.26)
【手続補正１】
【補正対象書類名】特許請求の範囲
【補正対象項目名】全文
【補正方法】変更
【補正の内容】
【特許請求の範囲】
【請求項１】
上側表面を有する支持部と、
拘束用ストラップの一部分を受容する開孔を備えた舌部であって、該舌部が前記支持部の前記上側表面と実質的に面一である第１位置から、前記開孔が前記上側表面の上方に少なくとも部分的に露出されるように該舌部が前記支持部から略上方に延在する第２位置まで、前記支持部に対して回動可能な舌部と、
前記舌部の下方のレバー機構であって、前記舌部が前記第１位置に在るときに前記舌部の前記開孔を通してアクセス可能であると共に、前記開孔を通して該レバー機構の一部分に対して加えられた下向きの力が該レバー機構を回動させて該レバー機構が前記舌部を前記第１位置から揚動させるように構成されたレバー機構と、を具備する貨物アンカ。
【請求項２】
前記レバー機構は、前記舌部の下方に回動可能に取り付けられたレバー部材を具備する、請求項１に記載の貨物アンカ。
【請求項３】
前記レバー機構は、前記舌部が前記第１位置に在るときに該舌部の前記開孔をその下側から実質的に覆うように構成される、請求項１又は２に記載の貨物アンカ。
【請求項４】
前記支持部は２つのフランジを備え、
前記舌部及びレバー機構は前記フランジに対して回動可能に取り付けられる、請求項１〜３のいずれか一項に記載の貨物アンカ。
【請求項５】
前記支持部は、前記舌部が前記第１位置に在るときに該舌部の周縁部を概ね囲繞するハウジングを具備する、請求項１〜３のいずれか一項に記載の貨物アンカ。
【請求項６】
前記舌部が前記第１位置から離れたときに異物が該ハウジングから出て行けるように、前記ハウジングの下側が概ね開放されている、請求項５に記載の貨物アンカ。
【請求項７】
請求項１〜６のいずれか一項に記載の貨物アンカであって、
前記舌部が前記第１位置に在るときに前記上側表面の上方から該貨物アンカを通過する異物を最小限に抑えるために該貨物アンカが概ね閉じられるように、及び前記舌部が前記第２位置に在るときに異物が前記上側表面の上方から該貨物アンカを通り抜けて落下することを可能にするために該貨物アンカが概ね開放されるように構成された貨物アンカ。
【請求項８】
前記舌部は一本以上の回動シャフトにより前記支持部に対して回動可能に取り付けられる、請求項１〜７のいずれか一項に記載の貨物アンカ。
【請求項９】
前記舌部は、夫々が該舌部の両側部から外方に延びて前記支持部に対して回動可能に係合する２本の短寸シャフトにより前記支持部に対して回動可能に取り付けられる、請求項８に記載の貨物アンカ。
【請求項１０】
前記一本以上のシャフトは前記舌部と一体である、請求項８又は９に記載の貨物アンカ。
【請求項１１】
前記舌部及び前記一本以上のシャフトは一体的に鋳造された構成要素である、請求項１０に記載の貨物アンカ。
【請求項１２】
前記一本以上のシャフトは前記支持部に対して回転軸心の回りで回転可能であると共に、前記舌部はほぼ平面的であり、且つ、
前記舌部は、該舌部の平面が前記一本以上のシャフトの回転軸心と概ね平行であるように前記一本以上のシャフトを備えて構成される、請求項８〜１１のいずれか一項に記載の貨物アンカ。
【請求項１３】
少なくとも約７８．５ｋＮの許容荷重を有する、請求項１〜１２のいずれか一項に記載の貨物アンカ。
【請求項１４】
車両の前記貨物担持領域に取り付けられたとき、前記舌部の前記第１位置において前記舌部が移動体の貨物担持領域の床部と実質的に面一に位置するように、及び前記舌部の前記第２位置において前記舌部の前記開孔が前記貨物担持領域の前記床部の上方に少なくとも部分的に露出するようにされた、請求項１〜１３のいずれか一項に記載の貨物アンカ。
【請求項１５】
車両の前記貨物担持領域に取り付けられたとき、前記舌部の前記第１位置において前記舌部が移動体の貨物担持領域の壁部と実質的に面一に位置するように、及び前記舌部の前記第２位置において前記舌部の前記開孔が前記貨物担持領域の前記壁部から内方に少なくとも部分的に露出するようにされた、請求項１〜１３のいずれか一項に記載の貨物アンカ。
【請求項１６】
前記舌部の前記開孔は前記舌部が前記第２位置に在るときに完全に露出される、請求項１〜１５のいずれか一項に記載の貨物アンカ。
【請求項１７】
貨物支持表面を有する貨物担持領域と少なくとも一個の貨物アンカとを具備する、貨物を担持する移動体であって、前記貨物アンカが、
拘束用ストラップの一部分を受容する開孔を備えた舌部であって、該舌部が前記貨物支持表面と実質的に面一である第１位置から、前記開孔が前記貨物担持領域において少なくとも部分的に露出されるように該舌部が前記貨物支持表面から延びる第２位置まで、前記貨物支持表面に対して回動可能な舌部と、
前記舌部と組み合わされたレバー機構であって、前記舌部が前記第１位置に在るときに前記舌部の前記開孔を通してアクセス可能であると共に、前記開孔を通して該レバー機構の一部分に対して加えられた力が該レバー機構を回動して該レバー機構が前記舌部を前記第１位置から前記第２位置へと移動させるように構成されたレバー機構とを具備する、
貨物を担持する移動体。
【請求項１８】
前記レバー機構は回動可能に取り付けられたレバー部材を具備する、請求項１７に記載の移動体。
【請求項１９】
前記レバー機構は、前記舌部が前記第１位置に在るときに該舌部の前記開孔を一方の側から実質的に覆うように構成される、請求項１７又は１８に記載の移動体。
【請求項２０】
前記貨物支持表面は前記貨物担持領域の床部であり、
前記舌部が前記第１位置から離れたときに異物が前記貨物アンカから出て行けるように、前記レバー機構の下方の領域が概ね開放されている、請求項１７〜１９のいずれか一項に記載の移動体。
【請求項２１】
前記貨物アンカは、前記舌部が前記第１位置に在るときに該貨物アンカを通過する異物を最小限に抑えるために該貨物アンカが概ね閉じられるように、及び前記舌部が前記第２位置に在るときに異物が該貨物アンカを通過することを可能にするために前記貨物アンカが概ね開放されるように構成される、請求項１７〜２０のいずれか一項に記載の移動体。
【請求項２２】
前記舌部は一本以上の回動シャフトにより前記貨物支持表面に対して回動可能に取り付けられる、請求項１７〜２１のいずれか一項に記載の移動体。
【請求項２３】
前記舌部は、夫々が該舌部の両側部から外方に延在する２本の短寸シャフトにより前記貨物支持表面に対して回動可能に取り付けられる、請求項２２に記載の移動体。
【請求項２４】
前記一本以上のシャフトは前記舌部と一体である、請求項２２又は２３に記載の移動体。
【請求項２５】
前記舌部及び前記一本以上のシャフトは一体的に鋳造された構成要素である、請求項２４に記載の移動体。
【請求項２６】
前記一本以上のシャフトは前記貨物支持表面に対して回転軸心の回りで回転可能であると共に、前記舌部はほぼ平面的であり、且つ、
前記舌部は、該舌部の平面が前記一本以上のシャフトの回転軸心と概ね平行であるように前記一本以上のシャフトを備えて構成される、請求項２２〜２５のいずれか一項に記載の移動体。
【請求項２７】
前記舌部の前記開孔は該舌部が前記第２位置に在るときに完全に露出される、請求項１７〜２６のいずれか一項に記載の移動体。
【請求項２８】
前記移動体はトラックである、請求項１７〜２７のいずれか一項に記載の移動体。
【請求項２９】
前記移動体はトラックと共に使用されるトレーラである、請求項１７〜２７のいずれか一項に記載の移動体。
【請求項３０】
前記移動体は積送コンテナである、請求項１７〜２７のいずれか一項に記載の移動体。
【国際調査報告】
2008512624.tif 000025
2008512624.tif 000026